Podtech/llm-jp-corpus-v4-ja_patent huggingface dataset:
【手続補正書】
【提出日】平成24年6月29日(2012.6.29)
【手続補正１】
【補正対象書類名】明細書
【補正対象項目名】０００９
【補正方法】変更
【補正の内容】
【０００９】
請求項２記載の遊技機は、請求項１記載の遊技機において、前記主制御手段は、前記始動情報に基づいて、前記表示装置で行われる変動演出の表示態様を設定する表示設定手段と、その表示設定手段により設定された表示態様の変動演出を前記副制御手段に実行させる場合に出力される演出制御信号を生成する演出信号生成手段と、前記表示設定手段により設定されうる変動演出の表示態様を、一の群に一又は複数の変動演出の表示態様が含まれる所定数の群に分け、前記始動情報に関連付けして記憶する群記憶手段と、前記検出手段により始動条件の成立が検出された場合に、前記群記憶手段に記憶される複数の群から、前記始動情報に関連付けされた群を決定し、その決定した群を示す群情報を含む信号を、前記第１出力手段により出力する始動制御信号として生成する始動信号生成手段とを備え、前記副制御手段の信号判別手段は、前記始動制御信号の群情報により示される群内に、前記演出制御信号により指示される前記変動演出の表示態様が含まれていると、前記始動制御信号と演出制御信号とが対応するものであると判別する。
【手続補正２】
【補正対象書類名】明細書
【補正対象項目名】００１５
【補正方法】変更
【補正の内容】
【００１５】
請求項２記載の遊技機によれば、請求項１記載の遊技機の奏する効果に加え、主制御手段では、始動情報に基づいて設定される表示態様の変動演出を実行させる演出制御信号と、始動情報に基づいて設定されうる変動演出の表示態様が一又は複数含まれる群を示す群情報を含む始動制御信号とが生成され、副制御手段では、始動制御信号の群情報により示される群内に、演出制御信号により指示される変動演出の表示態様が含まれていると、始動制御信号と演出制御信号とが対応するものであると信号判別手段により判別される。よって、主制御手段では、始動制御信号を生成する場合、変動演出の表示態様を詳細に設定せずに、始動情報に関連付けされた群を決定するだけでよいので、主制御手段における制御負担を軽減できるという効果がある。更に、副制御手段でも、始動制御信号により示される郡内に演出制御信号により指示される変動演出の表示態様が含まれるかの判別だけでよく、変動演出の表示態様の詳細について比較する必要がないので、制御負担を軽減できるという効果がある。
【手続補正３】
【補正対象書類名】特許請求の範囲
【補正対象項目名】全文
【補正方法】変更
【補正の内容】
【特許請求の範囲】
【請求項１】
遊技の主たる制御を行う主制御手段と、その主制御手段からの制御信号に基づいて制御を行う副制御手段と、その副制御手段の制御により識別情報の動的表示に伴った変動演出が行われる表示手段とを備え、前記表示手段で行われる変動演出で前記識別情報が予め定めた表示態様で停止表示された場合に遊技者に所定の遊技価値が付与される遊技機において、
前記主制御手段は、
始動条件の成立を検出する検出手段と、
その検出手段により検出される始動条件の成立に伴って取得される始動情報を記憶する主記憶手段と、
その主記憶手段に記憶される始動情報に基づいた始動制御信号を、前記検出手段により始動条件の成立が検出された場合に前記副制御手段に出力する第１出力手段と、
その第１出力手段により前記始動制御信号が出力された後であって前記表示手段で変動演出を開始させる場合に、前記主記憶手段に記憶される始動情報に基づいた演出制御信号を前記副制御手段に出力する第２出力手段とを備え、
前記副制御手段は、
前記始動制御信号が入力された場合に、その始動制御信号を記憶する副記憶手段と、
その副記憶手段に記憶される始動制御信号と、その始動制御信号の入力後に入力される演出制御信号とが対応するものであるかを判別する信号判別手段と、
その信号判別手段により前記始動制御信号と演出制御信号とが対応するものであると判別された場合に、前記演出制御信号に基づいた変動演出を前記表示手段で行う第１演出実行手段と、
前記信号判別手段により前記始動制御信号と演出制御信号とが対応するものでないと判別された場合に、前記演出制御信号に基づいた変動演出とは異なる所定の変動演出を行う第２演出実行手段とを備えていることを特徴とする遊技機。
【請求項２】
前記主制御手段は、
前記始動情報に基づいて、前記表示装置で行われる変動演出の表示態様を設定する表示設定手段と、
その表示設定手段により設定された表示態様の変動演出を前記副制御手段に実行させる場合に出力される演出制御信号を生成する演出信号生成手段と、
前記表示設定手段により設定されうる変動演出の表示態様を、一の群に一又は複数の変動演出の表示態様が含まれる所定数の群に分け、前記始動情報に関連付けして記憶する群記憶手段と、
前記検出手段により始動条件の成立が検出された場合に、前記群記憶手段に記憶される複数の群から、前記始動情報に関連付けされた群を決定し、その決定した群を示す群情報を含む信号を、前記第１出力手段により出力する始動制御信号として生成する始動信号生成手段とを備え、
前記副制御手段の信号判別手段は、
前記始動制御信号の群情報により示される群内に、前記演出制御信号により指示される前記変動演出の表示態様が含まれていると、前記始動制御信号と演出制御信号とが対応するものであると判別するものであることを特徴とする請求項１記載の遊技機。
【請求項３】
前記表示手段で行われる変動演出は、前記所定の遊技価値が付与される期待度が異なるように構成され、
前記群記憶手段は、前記変動演出の表示態様の期待度に応じて群に分け、その群に前記始動情報を関連付けして記憶するものであり、
前記第２演出実行手段は、前記始動制御信号の群情報が示す群に分けられた変動演出の期待度と、前記演出制御信号により実行が指示される変動演出の期待度のうち、期待度の低い方の変動演出を選択して実行するものであることを特徴とする請求項２記載の遊技機。
【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
複数種類の役の当否を決定し、第１役群に属する役と第２役群に属する役とが重複して当選する場合が存在するように内部抽選を行う内部抽選手段と、
前記複数のリールを遊技毎に回転させるとともに、停止操作を契機として前記内部抽選の結果に応じた態様で停止操作に対応する回転中のリールを停止させる制御を行い、前記第１役群に属する役と前記第２役群に属する役とが重複して当選した遊技では、前記第２役群に属する役の入賞を回避しつつ前記第１役群に属する役を停止操作のタイミングに関わらず入賞させるように前記複数のリールを停止させる第１停止制御と、前記第１役群に属する役の入賞を回避しつつ前記第２役群に属する役を停止操作のタイミングが当選役に応じたタイミングであることに基づいて入賞させるように前記複数のリールを停止させる第２停止制御とを停止操作の順序に応じて切り替えるリール制御手段と、
前記複数のリールが停止した状態で、役毎に予め定められた入賞形態を示す図柄組合せが入賞判定ラインに表示されたことに基づいて、役が入賞したと判定する入賞判定手段とを備えた遊技機であって、
前記複数のリールのうち、特定リールの外周面には、複数の第１図柄および複数の第２図柄が配列されているとともに、各第１図柄と、各第１図柄に対して最も近い位置に配置されている第２図柄とが所定の位置関係となるように配列され、
前記第１役群に属する役として、入賞形態を示す図柄組合せのうち、前記特定リールの表示図柄が前記第１図柄である第１の役と、前記特定リールの表示図柄が前記第２図柄である第２の役とが設定されており、
前記第２役群に属する役として、入賞形態を示す図柄組合せのうち、前記特定リールの表示図柄が前記第１図柄である第３の役が設定されており、
前記リール制御手段が、
前記第１の役と前記第３の役とが重複して当選した遊技では、停止操作の順序が第１の順序である場合には前記第１停止制御を行うとともに、停止操作の順序が第２の順序である場合には前記第２停止制御を行い、
前記第２の役と前記第３の役とが重複して当選した遊技では、停止操作の順序が第２の順序である場合には前記第１停止制御を行うとともに、停止操作の順序が第１の順序である場合には前記第２停止制御を行い、
前記第１の役と前記第３の役とが重複して当選した遊技および前記第２の役と前記第３の役とが重複して当選した遊技では、前記特定リールについての停止操作が第１の順序で行われた場合に、停止操作のタイミングに関わらずに前記第１図柄を第１の表示位置に表示させるとともに前記第２図柄を第２の表示位置に表示させるように前記特定リールを停止させる制御を行うことを特徴とする遊技機。
【請求項２】
請求項１において、
前記リール制御手段が、
前記第１役群に属する役と前記第２役群に属する役とが重複して当選した遊技では、前記第１役群に属する前記第２の役が入賞した場合には入賞判定ライン上に特定の図柄組合せが表示され、前記第１役群に属する前記第１の役が入賞した場合および前記第２役群に属する前記第３の役が入賞した場合には入賞判定ラインではない無効ライン上に特定の図柄組合せが表示されるように前記複数のリールを停止させる制御を行うことを特徴とする遊技機。
【請求項３】
請求項１または２において、
前記特定リールにおける前記第１の表示位置は入賞判定ラインを構成するが、前記第２の表示位置は入賞判定ラインを構成しないことを特徴とする遊技機。
【請求項４】
請求項１〜３のいずれかにおいて、
前記特定リールにおける入賞判定ライン上の表示位置が前記第１の表示位置のみであることを特徴とする遊技機。
【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
始動口への遊技球の入球に基づいて乱数を取得する乱数取得手段と、
前記乱数取得手段により取得される乱数に基づいて、大当たりについての判定処理を行う大当たり判定手段と、
前記大当たり判定手段による判定処理の結果が大当たりであることに基づいて、賞球の獲得が可能とされる大当たり遊技を行う大当たり遊技実行手段と、
前記大当たり判定手段による判定処理にて大当たりが当選されたときには、前記大当たり遊技実行手段により大当たり遊技が行われた後に、遊技者にとって有利性の低い低確遊技状態と該低確遊技状態よりも前記大当たりが当選され易くなることによって遊技者にとって有利性が高くされた高確遊技状態とのいずれかを発生し得る状態制御手段と、
前記乱数取得手段により乱数が取得された場合、該取得された乱数に応じた前記大当たり判定手段による判定処理をその実行条件が成立するまで待機させて保留する遊技保留手段と、
前記状態制御手段により前記高確遊技状態に制御されているときに、前記大当たり判定手段による判定処理が未だ行われていない前記保留の状態にある段階から、前記乱数取得手段により取得された乱数を用いて、遊技者にとって有利性の低い状況が発生する可能性があることを示す危険度演出を、前記判定処理が行われるまでの間に実行する事前演出制御手段と、
を備えることを特徴とする遊技機。
【請求項２】
所定の演出画像が表示される表示手段をさらに備える
請求項１に記載の遊技機。
【請求項３】
前記事前演出制御手段は、
前記危険度演出が前記表示手段にて表示されるよう制御する
請求項２に記載の遊技機。
【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
始動口への遊技球の入球に基づいて乱数を取得する乱数取得手段と、
前記乱数取得手段により取得される乱数に基づいて、大当たりについての判定処理を行う大当たり判定手段と、
前記大当たり判定手段による判定処理の結果が大当たりであることに基づいて、賞球の獲得が可能とされる大当たり遊技を行う大当たり遊技実行手段と、
前記大当たり遊技実行手段により前記大当たり遊技が行われた後に、前記始動口への遊技球の入球が容易とされる特定遊技状態を発生し得る状態制御手段と、
前記乱数取得手段により乱数が取得された場合、該取得された乱数に応じた前記大当たり判定手段による判定処理をその実行条件が成立するまで待機させて保留する遊技保留手段と、
前記大当たり判定手段による判定処理にて大当たりが当選されていることを期待させることが可能な高期待図柄演出を所定の表示領域にて実行可能な図柄演出制御手段と、
前記遊技保留手段により未だ保留の状態にあるにもかかわらず、前記乱数取得手段により取得された乱数に基づいて、前記大当たり判定手段による判定処理が行われるときの大当たりの当選にかかる期待度が異なる複数種の表示形態のうち、いずれかの表示形態を、所定の表示領域にて事前に示しうる期待度事前示唆手段と、
前記乱数取得手段により取得された乱数に基づいて前記所定の表示領域にて表示される前記表示形態を、該取得された乱数よりも先に取得された乱数についての前記判定処理の実行に伴って変遷する表示形態を記憶する表示形態記憶手段と、
前記表示形態記憶手段により記憶された表示形態に基づいて、該取得された乱数よりも先に取得された乱数についての前記判定処理が実行されることに基づいて、前記表示形態が変遷されるよう制御する表示形態変遷制御手段と、
を備え、
前記状態制御手段により前記特定遊技状態に制御されているときは、前記期待度事前示唆手段により前記大当たりが当選されている期待度が相対的に低い表示形態の表示に伴って、前記大当たりが当選されていることを期待させうる前記高期待図柄演出を実行を抑制する
ことを特徴とする遊技機。
【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
始動口への遊技球の入球に基づいて乱数を取得する乱数取得手段と、
前記乱数取得手段により取得される乱数に基づいて、大当たりについての判定処理を行う大当たり判定手段と、
前記大当たり判定手段による判定処理の結果が大当たりであることに基づいて、賞球が獲得可能とされる大当たり遊技を行う大当たり遊技実行手段と、
前記大当たり判定手段による判定処理の結果が大当たりであり、該大当たりの種別が特別大当たりである場合は、前記大当たり遊技実行手段により大当たり遊技が行われた後に、低確遊技状態よりも前記大当たりが当選される確率が高く設定された高確遊技状態への変更を実行可能な状態制御手段と、
前記乱数取得手段により乱数が取得された場合、該取得された乱数に応じた前記大当たり判定手段による判定処理をその実行条件が成立するまで待機させて保留する遊技保留手段と、
前記判定処理についての保留状況を遊技者が認識可能となるように、それら保留の状態とされている判定処理毎の保留表示がそれぞれ所定の表示部にて現れるかたちで当該保留表示にかかる表示制御を行う保留表示制御手段と
を備え、
前記保留表示制御手段は、
前記状態制御手段により前記低確遊技状態に制御されているときに、前記乱数取得手段により乱数が取得された場合、この乱数が供される特定の判定処理について、その実行条件が成立する時点で現れている保留表示の表示形態を、複数種の表示形態の中から判断するとともに、該判断に応じた特定の表示形態を、当該特定の判定処理についての保留表示の表示形態として出現させるように制御する保留形態制御手段、
前記保留形態制御手段により特定の表示形態を出現させることが判断されているにもかかわらず、前記特定の表示形態とは大当たり信頼度の異なる別の表示形態を、前記特定の判定処理についての保留表示の表示形態として先行して出現させるように制御する保留偽形態制御手段、及び
前記保留偽形態制御手段による制御によって、前記特定の判定処理についての保留表示の表示形態として前記大当たり信頼度の異なる別の表示形態が先行して出現している間に、当該特定の判定処理よりも先に消化される判定処理にて前記特別大当たりが当選された場合は、前記状態制御手段による高確遊技状態への変更が実行されるのに先立って、前記保留形態制御手段により出現させるべき旨判断されている前記特定の表示形態が出現されることのないままで、前記大当たり信頼度の異なる別の表示形態を消滅させるように制御する手段
を有することを特徴とする遊技機。
【請求項２】
請求項１に記載の遊技機において、
所定の発光演出が行われるランプ装置をさらに備える
ことを特徴とする遊技機。
【請求項３】
請求項１または２に記載の遊技機において、
所定の音響演出が行われるスピーカ装置をさらに備える
ことを特徴とする遊技機。
【手続補正２】
【補正対象書類名】明細書
【補正対象項目名】０００８
【補正方法】変更
【補正の内容】
【０００８】
手段１：始動口への遊技球の入球に基づいて乱数を取得する乱数取得手段と、前記乱数取得手段により取得される乱数に基づいて、大当たりについての判定処理を行う大当たり判定手段と、前記大当たり判定手段による判定処理の結果が大当たりであることに基づいて、遊技者に特典が付与される特別遊技を行う特別遊技実行手段と、前記乱数取得手段により乱数が取得された場合、該取得された乱数に応じた前記大当たり判定手段による判定処理をその実行条件が成立するまで待機させて保留する遊技保留手段と、前記遊技保留手段による前記判定処理についての保留状況を遊技者が認識可能となるように、それら保留の状態とされている判定処理の別に対応した保留表示がそれぞれ所定の表示部にて現れるかたちで当該保留表示にかかる表示制御を行う保留表示制御手段と、前記大当たり判定手段による判定処理が保留の状態とされている間にこれに供される乱数に基づいて、当該判定処理が行われるときの大当たりの当選にかかる期待度を先行判定する期待度先行判定手段と、を備え、前記保留表示制御手段は、前記保留表示にかかる表示形態として、前記大当たりの当選にかかる期待度として各々異なる期待度が対応付けされた複数種の表示形態が記憶されている保留表示形態記憶手段を有し、前記所定の表示部にて保留表示される期間中は、前記期待度先行判定手段により先行判定された期待度に見合った表示形態が最終的には現れるようにその保留表示にかかる表示形態が前記複数種の表示形態の間で変更される保留中演出を行い得ることを特徴とする遊技機。
【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
骨折した骨片を骨本体に整復固定するための骨接合用手術器具であって、
少なくとも１つの貫通長穴と少なくとも１つのねじ穴とを有するインプラントであって、前記貫通長穴が前記骨本体に配置され、前記ねじ穴が前記骨片に固定される前記インプラントと、
ラックを備え、前記インプラントに着脱可能に固定される固定部材と、
前記ラックに係合する歯車部と、前記歯車部の軸と同軸上に延び、前記貫通長穴に挿通され且つ前記骨本体に挿入される回転軸と、を有する回転部材と、
を含み、
前記固定部材の前記ラックを構成する複数のラック歯の配列方向が、前記インプラントの前記貫通長穴の長手方向と平行であることを特徴とする骨接合用手術器具。
【請求項２】
前記インプラントは骨プレートであり、
前記固定部材は、
前記固定部材の第１の面から当該第１の面と対向する第２の面まで貫通するラック長穴と、
前記ラック長穴の内面に、当該ラック長穴の長手方向と平行に前記複数のラック歯を配列して構成された前記ラックと、
前記固定部材の前記第１の面上で且つ前記ラック長穴の外周に形成され、前記貫通長穴に着脱可能に嵌合する凸部と、を有し、
前記回転部材は、前記歯車部から成る頭部と、前記回転軸から成る脚部とを有する歯車ピンであることを特徴とする請求項１に記載の骨接合用手術器具。
【請求項３】
前記固定部材の前記ラック長穴は、前記固定部材の前記第２の面から座ぐりされており、
前記歯車ピンの前記頭部は、前記座ぐりの座面に当接して前記ラック長穴の内部に保持されることを特徴とする請求項２に記載の骨接合用手術器具。
【請求項４】
前記固定部材の前記第２の面に取着されて前記ラック長穴を覆う蓋部材をさらに含み、
前記蓋部材は、前記ラック長穴の内部に配置した前記歯車ピンを回転させる回転用器具を挿入するための長窓を有することを特徴とする請求項３に記載の骨接合用手術器具。
【請求項５】
前記骨プレートは、前記貫通長穴の長手方向と平行に延び前記骨本体に配置される補助長穴をさらに有することを特徴とする請求項２乃至４のいずれか１項に記載の骨接合用手術器具。
【請求項６】
前記インプラントは、前記骨片に挿入される先端と、前記骨本体の骨端に露出する後端とを有する髄内釘であり、
前記固定部材は、
体外に配置され、前記髄内釘と平行に延びる本体と、
前記髄内釘と対向する前記本体の第１の側面から、当該第１の側面と対向する前記本体の第２の側面まで貫通するラック長穴と、
前記ラック長穴の内面に、当該ラック長穴の長手方向と平行に前記複数のラック歯を配列して構成された前記ラックと、
前記本体の一端から延びて前記髄内釘の前記後端に固定されるアーム部と、
を有し、
前記回転部材は、前記回転軸から体外に延びるシャフトをさらに備え、
前記歯車部が前記シャフトに形成されていることを特徴とする請求項１に記載の骨接合用手術器具。
【請求項７】
前記回転部材は、前記シャフトに設けられた回転ハンドルをさらに備えていることを特徴とする請求項６に記載の骨接合用手術器具。
【請求項８】
前記固定部材の前記ラック長穴は、前記固定部材の前記第２の側面から座ぐりされており、
前記歯車部は、前記座ぐりの座面に当接して前記ラック長穴の内部に保持されることを特徴とする請求項６又は７に記載の骨接合用手術器具。
【請求項９】
骨折した骨片を骨本体に整復固定するための骨接合用手術器具であって、
少なくとも１つの貫通長穴と少なくとも１つのねじ穴とを有するインプラントであって、前記貫通長穴が前記骨本体に配置され、前記ねじ穴が前記骨片に固定される前記インプラントと、
カム受けと当該カム受けが内面に形成されたカム長穴とを備え、前記インプラントに着脱可能に固定される固定部材と、
前記カム受けに係合し、回転動作により前記カム受けを前記カム長穴の長手方向に沿って移動させるカム部と、前記カム部の軸と同軸上に延び、前記カム長穴及び前記貫通長穴に挿通され且つ前記骨本体に挿入される回転軸と、を有する回転部材と、
を含み、
前記カム長穴の前記長手方向が、前記インプラントの前記貫通長穴の長手方向と平行であることを特徴とする骨接合用手術器具。
【請求項１０】
前記インプラントは骨プレートであり、
前記固定部材は、
前記固定部材の第１の面から当該第１の面と対向する第２の面まで貫通する前記カム長穴と、
前記固定部材の前記第１の面上で且つ前記カム長穴の外周に形成され、前記貫通長穴に着脱可能に嵌合する凸部と、を有し、
前記回転部材は、前記カム部から成る頭部と、前記回転軸から成る脚部とを有するカムピンであることを特徴とする請求項９に記載の骨接合用手術器具。
【請求項１１】
前記固定部材の前記カム長穴は、前記固定部材の前記第２の面から座ぐりされており、
前記カムピンの前記頭部は、前記座ぐりの座面に当接して前記カム長穴の内部に保持されることを特徴とする請求項１０に記載の骨接合用手術器具。
【請求項１２】
前記固定部材の前記第２の面に取着されて前記カム長穴を覆う蓋部材をさらに含み、
前記蓋部材は、前記カム長穴の内部に配置した前記カムピンを回転させる回転用器具を挿入するための長窓を有することを特徴とする請求項１１に記載の骨接合用手術器具。
【請求項１３】
前記骨プレートは、前記貫通長穴の長手方向と平行に延び前記骨本体に配置される補助長穴をさらに有することを特徴とする請求項１０乃至１２のいずれか１項に記載の骨接合用手術器具。
【請求項１４】
前記インプラントは、前記骨片に挿入される先端と、前記骨本体の骨端に露出する後端とを有する髄内釘であり、
前記固定部材は、
体外に配置され、前記髄内釘と平行に延びる本体と、
前記髄内釘と対向する前記本体の第１の側面から、当該第１の側面と対向する前記本体の第２の側面まで貫通する前記カム長穴と、
前記本体の一端から延びて前記髄内釘の前記後端に固定されるアーム部と、
を有し、
前記回転部材は、前記回転軸から体外に延びるシャフトをさらに備え、
前記カム部が前記シャフトに形成されていることを特徴とする請求項９に記載の骨接合用手術器具。
【請求項１５】
前記回転部材は、前記シャフトに設けられた回転ハンドルをさらに備えていることを特徴とする請求項１４に記載の骨接合用手術器具。
【請求項１６】
前記固定部材の前記カム長穴は、前記固定部材の前記第２の側面から座ぐりされており、
前記カム部は、前記座ぐりの座面に当接して前記カム長穴の内部に保持されることを特徴とする請求項１４又は１５に記載の骨接合用手術器具。
【手続補正書】
【提出日】平成24年8月13日(2012.8.13)
【手続補正１】
【補正対象書類名】特許請求の範囲
【補正対象項目名】全文
【補正方法】変更
【補正の内容】
【特許請求の範囲】
【請求項１】
被検体に対して超音波信号を送受信する圧電部と前記被検体との間の音響インピーダンスの整合をとる音響整合層の製造方法であって、
充填材およびバインダ樹脂を含む第１の層と、樹脂を含む第２の層とを積層する積層工程と、
前記第１の層に含まれる前記充填材の一部を前記第２の層に侵入させ、密度が連続的に変化する領域を形成する充填材侵入工程とを備えること
を特徴とする音響整合層の製造方法。
【請求項２】
前記充填材侵入工程は、積層された前記第１の層および前記第２の層を、前記バインダ樹脂のＴｇより１℃〜５０℃低い温度でアニーリングする工程であること
を特徴とする請求項１に記載の音響整合層の製造方法。
【請求項３】
前記充填材侵入工程は、積層された前記第１の層および前記第２の層を、前記第２の層に含まれる前記樹脂を溶解できる溶媒の飽和蒸気中に保持する工程であること
を特徴とする請求項１に記載の音響整合層の製造方法。
【請求項４】
前記バインダ樹脂は、ポリマーラテックスを含むこと
を特徴とする請求項１ないし請求項３のいずれか１項に記載の音響整合層の製造方法。
【請求項５】
被検体に対して超音波信号を送受信する圧電部と、前記圧電部と前記被検体との間に位置し前記圧電部と前記被検体との間の音響インピーダンスの整合をとる音響整合層とを備える超音波探触子の製造方法であって、
請求項１ないし請求項４のいずれか１項に記載の音響整合層の製造方法により前記音響整合層を製造する工程を有すること
を特徴とする超音波探触子の製造方法。
【手続補正２】
【補正対象書類名】明細書
【補正対象項目名】発明の名称
【補正方法】変更
【補正の内容】
【発明の名称】音響整合層の製造方法および超音波探触子の製造方法
【手続補正３】
【補正対象書類名】明細書
【補正対象項目名】０００１
【補正方法】変更
【補正の内容】
【０００１】
本発明は、音響整合層の製造方法および超音波探触子の製造方法に関する。
【手続補正４】
【補正対象書類名】明細書
【補正対象項目名】０００７
【補正方法】変更
【補正の内容】
【０００７】
本発明は、上述の事情に鑑みて為された発明であり、その目的は、容易に作製でき、広帯域の超音波を効率的に送受信できる音響整合層の製造方法および超音波探触子の製造方法を提供することである。
【手続補正５】
【補正対象書類名】明細書
【補正対象項目名】０００８
【補正方法】変更
【補正の内容】
【０００８】
本発明者は、種々検討した結果、上記目的は、以下の本発明により達成されることを見出した。すなわち、本発明の一態様に係る音響整合層の製造方法は、被検体に対して超音波信号を送受信する圧電部と前記被検体との間の音響インピーダンスの整合をとる音響整合層の製造方法であって、充填材およびバインダ樹脂を含む第１の層と、樹脂を含む第２の層とを積層する積層工程と、前記第１の層に含まれる前記充填材の一部を前記第２の層に侵入させ、密度が連続的に変化する領域を形成する充填材侵入工程とを備える。
【手続補正６】
【補正対象書類名】明細書
【補正対象項目名】０００９
【補正方法】変更
【補正の内容】
【０００９】
このような構成の音響整合層の製造方法は、容易に作製でき、広帯域の超音波を効率的に送受信できる音響整合層を提供することができる。
【手続補正７】
【補正対象書類名】明細書
【補正対象項目名】００１０
【補正方法】変更
【補正の内容】
【００１０】
また、上述の音響整合層の製造方法において、前記充填材侵入工程は、積層された前記第１の層および前記第２の層を、前記バインダ樹脂のＴｇより１℃〜５０℃低い温度でアニーリングする工程であることが好ましい。
【手続補正８】
【補正対象書類名】明細書
【補正対象項目名】００１１
【補正方法】変更
【補正の内容】
【００１１】
これにより、密度が連続的に変化する傾斜構造の音響整合層が形成される。
【手続補正９】
【補正対象書類名】明細書
【補正対象項目名】００１２
【補正方法】変更
【補正の内容】
【００１２】
また、上述の音響整合層の製造方法において、前記充填材侵入工程は、積層された前記第１の層および前記第２の層を、前記第２の層に含まれる前記樹脂を溶解できる溶媒の飽和蒸気中に保持する工程であることが好ましい。
【手続補正１０】
【補正対象書類名】明細書
【補正対象項目名】００１３
【補正方法】変更
【補正の内容】
【００１３】
これにより、密度が連続的に変化する傾斜構造の音響整合層が形成される。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】変更
【補正の内容】
【００２１】
また、これら上述の音響整合層の製造方法において、前記バインダ樹脂は、ポリマーラテックスを含むことが好ましい。
【手続補正１９】
【補正対象書類名】明細書
【補正対象項目名】００２３
【補正方法】変更
【補正の内容】
【００２３】
また、本発明の他の一態様に係る超音波探触子の製造方法は、被検体に対して超音波信号を送受信する圧電部と、前記圧電部と前記被検体との間に位置し前記圧電部と前記被検体との間の音響インピーダンスの整合をとる音響整合層とを備える超音波探触子の製造方法であって、これら上述のいずれかの超音波探触子の製造方法により前記音響整合層を製造する工程を有する。
【手続補正２０】
【補正対象書類名】明細書
【補正対象項目名】００２４
【補正方法】変更
【補正の内容】
【００２４】
これにより、送受信における超音波信号がほとんど減衰せず、広範囲の波長帯域の超音波信号を効率的に送受信し、超音波画像を得ることができる超音波探触子を提供できる。特に、この超音波探触子は、被検体からの超音波信号をより減衰の少ない状態で受信できるため、基本波だけでなく、基本波に比べてパワーの小さい高調波においても受信できることから、ハーモニックイメージング技術を用いて、より高精度な超音波画像を得ることが可能である。また、この超音波探触子は、容易に製造することができる。
【手続補正２１】
【補正対象書類名】明細書
【補正対象項目名】００２５
【補正方法】変更
【補正の内容】
【００２５】
本発明によれば、容易に作製でき、広帯域の超音波を効率的に送受信できる音響整合層の製造方法および超音波探触子の製造方法を提供することができる。
【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
プレーヤによって操作されるゲーム機と、前記ゲーム機と接続され、前記ゲーム機のプレーヤの頭部に取り付けられる生体光計測装置と、を備えるゲームシステムであって、
前記生体光計測装置は、
前記プレーヤの頭部に光を照射する光照射器と、
前記照射された光の前記頭部における反射光を検出する光検出器と、
前記検出した反射光の情報をデジタル信号に変換する変換器と、を有し、
前記ゲーム機は、
ゲーム画面の表示を行う表示手段と、
前記変換したデジタル信号の入力を受け付け、前記受け付けたデジタル信号に基づいて、前記プレーヤの脳血流および頭皮血流の時間的変化から脳および心臓の少なくとも１つの状態の情報を生成し、前記生成した情報を用いて、ゲーム進行の内容の決定、および、前記プレーヤの身体または心理の状態の前記表示手段への表示、の少なくとも１つを行いながら、ゲーム制御を行うゲーム制御部と、を有し、
前記ゲーム制御部は、
前記プレーヤの脳血流の時間的変化から、前記プレーヤの脳の前頭葉の賦活度を算出し、当該賦活度が所定値を超えていないと判定した場合、ゲーム進行の内容を決定するとき、その後のゲームの難易度を変える処理を行う
ことを特徴とするゲームシステム。
【請求項２】
前記ゲーム制御部は、
前記脳および心臓の少なくとも１つの状態の情報として、脳の前頭葉の賦活度、心拍数の変化、および、心拍におけるＬＦ（Low Frequency）／ＨＦ（High Frequency）の値のうち少なくとも１つを生成する
ことを特徴とする請求項１に記載のゲームシステム。
【請求項３】
ゲーム機のプレーヤの頭部に取り付けられ、前記ゲーム機におけるゲーム制御部において、ゲーム進行の内容の決定および前記プレーヤの身体または心理の状態の表示の少なくとも１つを行うために使用されるプレーヤの身体に関する生体信号を生成する生体光計測装置であって、
前記プレーヤの頭部に光を照射する光照射器と、
前記照射された光の前記頭部における反射光を検出する光検出器と、
前記検出した反射光に基づいて、前記プレーヤの脳血流および頭皮血流の時間的変化から脳および心臓の少なくとも１つの状態の情報を生成し、前記生成した情報を前記生体信号として前記ゲーム機に送信する信号処理手段と、を備え、
前記ゲーム制御部は、
前記信号処理手段から送信された前記生体信号に基づいて、前記プレーヤの脳血流の時間的変化から、前記プレーヤの脳の前頭葉の賦活度を算出し、当該賦活度が所定値を超えていないと判定した場合、ゲーム進行の内容を決定するとき、その後のゲームの難易度を変える処理を行う
ことを特徴とする生体光計測装置。
【請求項４】
前記信号処理手段は、
前記脳および心臓の少なくとも１つの状態の情報として、脳の前頭葉の賦活度、心拍数の変化、および、心拍におけるＬＦ（Low Frequency）／ＨＦ（High Frequency）の値のうち少なくとも１つを生成し、前記生成した情報を前記生体信号として前記ゲーム機に送信する
ことを特徴とする請求項３に記載の生体光計測装置。
【請求項５】
前記生体光計測装置に生じた加速度に応じた加速度信号を出力する加速度検出手段と、
前記生体光計測装置に加速度が生じた場合の生体信号の変化に関する変化情報を記憶する記憶部と、をさらに備え、
前記信号処理手段は、前記加速度信号を用いて、前記記憶部に記憶された変化情報を参照して、前記生体信号の値を補正する
ことを特徴とする請求項３に記載の生体光計測装置。
【手続補正２】
【補正対象書類名】明細書
【補正対象項目名】発明の名称
【補正方法】変更
【補正の内容】
【発明の名称】ゲームシステム、生体光計測装置
【手続補正３】
【補正対象書類名】明細書
【補正対象項目名】０００６
【補正方法】変更
【補正の内容】
【０００６】
前記課題を解決するために、本発明は、プレーヤによって操作されるゲーム機と、前記ゲーム機と接続され、前記ゲーム機のプレーヤの頭部に取り付けられる生体光計測装置と、を備えるゲームシステムである。
前記生体光計測装置は、前記プレーヤの頭部に光を照射する光照射器と、前記照射された光の前記頭部における反射光を検出する光検出器と、前記検出した反射光の情報をデジタル信号に変換する変換器と、を有する。
前記ゲーム機は、ゲーム画面の表示を行う表示手段と、前記変換したデジタル信号の入力を受け付け、前記受け付けたデジタル信号に基づいて、前記プレーヤの脳血流および頭皮血流の時間的変化から脳および心臓の少なくとも１つの状態の情報を生成し、前記生成した情報を用いて、ゲーム進行の内容の決定、および、前記プレーヤの身体または心理の状態の前記表示手段への表示、の少なくとも１つを行いながら、ゲーム制御を行うゲーム制御部と、を有する。
そして、前記ゲーム制御部は、前記プレーヤの脳血流の時間的変化から、前記プレーヤの脳の前頭葉の賦活度を算出し、当該賦活度が所定値を超えていないと判定した場合、ゲーム進行の内容を決定するとき、その後のゲームの難易度を変える処理を行う。
その他の手段については後記する。
【手続補正書】
【提出日】平成23年11月28日(2011.11.28)
【手続補正１】
【補正対象書類名】特許請求の範囲
【補正対象項目名】全文
【補正方法】変更
【補正の内容】
【特許請求の範囲】
【請求項１】
宅配ボックスが設置される集合住宅において電気自動車を充電する電気自動車の充電システムであって、
電気自動車を充電する電源回路と、
集合住宅の居住者によって提示される認証手段による認証で読み取られたＩＤ情報が電気自動車の充電を許可してよい集合住宅の居住者のＩＤ情報であるときに前記電源回路を介して電気自動車の充電サービスの制御を行う制御回路と、を備え、
前記電気自動車の充電サービスに関するデータが前記宅配ボックスからインターネットを介して管理システムに送信されることを特徴とする電気自動車の充電システム。
【請求項２】
前記電気自動車の充電サービスに関するデータには充電終了時刻が含まれることを特徴とする請求項１に記載の電気自動車の充電システム。
【請求項３】
前記電気自動車の充電サービスに関するデータが前記居住者のＩＤ情報と関連づけて管理システムに送信されることを特徴とする請求項１又は２に記載の電気自動車の充電システム。
【請求項４】
前記認証手段を読み取る読み取り手段が、電気自動車を充電する前記電源回路の充電出力手段近傍に配置されることを特徴とする請求項１から３のいずれか１項に記載の電気自動車の充電システム。
【手続補正２】
【補正対象書類名】明細書
【補正対象項目名】００１１
【補正方法】変更
【補正の内容】
【００１１】
上記課題を解決するため、本発明では、宅配ボックスが設置される集合住宅において電気自動車を充電する電気自動車の充電システムであって、電気自動車を充電する電源回路と、集合住宅の居住者によって提示される認証手段による認証で読み取られたＩＤ情報が電気自動車の充電を許可してよい集合住宅の居住者のＩＤ情報であるときに前記電源回路を介して電気自動車の充電サービスの制御を行う制御回路と、を備え、前記電気自動車の充電サービスに関するデータが前記宅配ボックスからインターネットを介して管理システムに送信される構成を採用した。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
上記構成によれば、集合住宅で必要な全体の設備やシステム管理に要する総合的なコストを削減することができる。
【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
撮影照明光により照明された被検者の眼底を撮影する撮影光学系と、
被検者眼と前記撮影光学系とのアライメント状態を検出するアライメント検出手段と、
前記アライメント検出手段の検出結果に基づいて前記撮影光学系を移動させる制御手段と、を備える眼底撮影装置において、
前記制御手段は蛍光撮影を行うために予め定められた時間間隔で光源から蛍光励起用のフラッシュ光を連続発光させるとともに、該連続発行中に前記アライメント検出手段の検出結果に基づいて前記撮影光学系の移動制御を行うことを特徴とする眼底撮影装置。
【請求項２】
請求項１の眼底撮影装置は、
被検者眼の前眼部を観察すると共に前記アライメント検出手段を兼ねる前眼部観察光学系と、
該前眼部観察光学系と前記撮影光学系の光路を分岐するための光路分岐部材とを備え、
前記制御手段は前記蛍光励起用のフラッシュ光の発光と連動させて、前記光路分岐部材を前記光路から退避させる時に前記アライメント検出手段によるアライメントを停止させ、前記光路分岐部材が前記光路に挿入される時に前記アライメント検出手段による前記撮影光学系の移動制御を行うことを特徴とする眼底撮影装置。
【請求項３】
請求項１〜２のいずれかに記載の眼底撮影装置は、
フォーカス視標投影光学系により被検者の眼底に投影されたフォーカス視標を撮像素子により検出し前記フォーカシングレンズの移動により調整される眼底へのフォーカス状態を検出するフォーカス検出手段と、を備え、
前記制御手段は前記フラッシュ光の連続発光中は、前記フォーカス検出手段による検出結果に基づく前記フォーカシングレンズの移動制御を停止させることを特徴とする眼底撮影装置。
【請求項４】
請求項３に記載の眼底撮影装置は、蛍光剤導入からの経過時間をカウントするためのクロック信号を、所定の時間間隔で出力させるカウンタを有し、前記制御手段は該カウンタからのクロック信号に基づいて前記光源の発光制御を行うことを特徴とする眼底撮影装置。
【請求項５】
請求項４に記載の眼底撮影装置において、
前記制御手段は前記カウンタからのクロック信号に基づいて時間計測開始から所定時間経過後に前記連続発光の制御を予め設定された時間だけ行い，該連続発光の終了後は所定の撮影スイッチからのトリガ信号に基づいて前記光源の発光制御を行うことを特徴とする眼底撮影装置。
【請求項６】
請求項５に記載の眼底撮影装置は、眼底画像を表示させるモニタと、前記撮影光学系として、赤外域に感度を有する撮像素子を有し被検者眼の眼底の観察を行うための眼底観察光学系と，可視域に感度を有する撮像素子を有し被検者眼の眼底の撮影を行うための眼底撮影光学系とを有し、
前記制御手段は前記連続発光前は前記眼底観察光学系にて得られた赤外の眼底画像を前記モニタにリアルタイムで表示させ、前記連続発行中は前記眼底撮影光学系にて得られた蛍光眼底画像を前記モニタに逐次表示させる制御を行うことを特徴とする眼底撮影装置。
【手続補正２】
【補正対象書類名】明細書
【補正対象項目名】０００６
【補正方法】変更
【補正の内容】
【０００６】
上記課題を解決するために、本発明は以下のような構成を備えることを特徴とする。
（１）  撮影照明光により照明された被検者の眼底を撮影する撮影光学系と、被検者眼と前記撮影光学系とのアライメント状態を検出するアライメント検出手段と、前記アライメント検出手段の検出結果に基づいて前記撮影光学系を移動させる制御手段と、を備える眼底撮影装置において、前記制御手段は蛍光撮影を行うために予め定められた時間間隔で光源から蛍光励起用のフラッシュ光を連続発光させるとともに、該連続発行中に前記アライメント検出手段の検出結果に基づいて前記撮影光学系の移動制御を行うことを特徴とする。
（２）  （１）の眼底撮影装置は、被検者眼の前眼部を観察すると共に前記アライメント検出手段を兼ねる前眼部観察光学系と、該前眼部観察光学系と前記撮影光学系の光路を分岐するための光路分岐部材とを備え、前記制御手段は前記蛍光励起用のフラッシュ光の発光と連動させて、前記光路分岐部材を前記光路から退避させる時に前記アライメント検出手段によるアライメントを停止させ、前記光路分岐部材が前記光路に挿入される時に前記アライメント検出手段による前記撮影光学系の移動制御を行うことを特徴とする。
（３）  （１）〜（２）のいずれかに記載の眼底撮影装置は、フォーカス視標投影光学系により被検者の眼底に投影されたフォーカス視標を撮像素子により検出し前記フォーカシングレンズの移動により調整される眼底へのフォーカス状態を検出するフォーカス検出手段と、を備え、前記制御手段は前記フラッシュ光の連続発光中は、前記フォーカス検出手段による検出結果に基づく前記フォーカシングレンズの移動制御を停止させることを特徴とする。
（４）  （３）に記載の眼底撮影装置は、蛍光剤導入からの経過時間をカウントするためのクロック信号を、所定の時間間隔で出力させるカウンタを有し、前記制御手段は該カウンタからのクロック信号に基づいて前記光源の発光制御を行うことを特徴とする。
（５）  （４）に記載の眼底撮影装置において、前記制御手段は前記カウンタからのクロック信号に基づいて時間計測開始から所定時間経過後に前記連続発光の制御を予め設定された時間だけ行い，該連続発光の終了後は所定の撮影スイッチからのトリガ信号に基づいて前記光源の発光制御を行うことを特徴とする。
（６）  （５）に記載の眼底撮影装置は、眼底画像を表示させるモニタと、前記撮影光学系として、赤外域に感度を有する撮像素子を有し被検者眼の眼底の観察を行うための眼底観察光学系と，可視域に感度を有する撮像素子を有し被検者眼の眼底の撮影を行うための眼底撮影光学系とを有し、前記制御手段は前記連続発光前は前記眼底観察光学系にて得られた赤外の眼底画像を前記モニタにリアルタイムで表示させ、前記連続発行中は前記眼底撮影光学系にて得られた蛍光眼底画像を前記モニタに逐次表示させる制御を行うことを特徴とする。
【手続補正書】
【提出日】平成23年12月7日(2011.12.7)
【手続補正１】
【補正対象書類名】明細書
【補正対象項目名】００１１
【補正方法】変更
【補正の内容】
【００１１】
前記目的を達成するために、本発明は以下のように構成する。
本発明の第１態様によれば、内部に加熱室が設けられた有底筒状の機器本体と、
前記機器本体の上部開口部を開閉可能な外蓋と、
前記加熱室内に収納され、調理材料を収容するとともに蒸し調理用の水を収容するための有底筒状の練り容器と、
前記練り容器内に配置され、前記練り容器内の前記調理材料を混錬するための練り羽根と、
前記練り羽根を回転駆動する駆動部と、
前記練り容器よりもサイズが小さく形成され、前記練り容器内で混錬された調理材料を収容可能な有底筒状の蒸し調理用容器と、
前記練り容器を加熱する加熱部と、
前記加熱室内の温度を検知する温度検知部と、
複数の調理コースから特定の調理コースを選択可能な選択部と、
前記選択部にて選択された調理コースと前記温度検知部の検知温度とに基づき、前記加熱部と前記駆動部とを制御する制御部と、
を備え、
前記蒸し調理用容器は、前記加熱室内において前記練り容器の底面よりも上方で支持されたとき、前記練り容器内で発生した蒸気が前記加熱室内に放出されるように前記蒸し調理用容器の側壁と前記練り容器の側壁との間に全周にわたって蒸気通過用の隙間が空くように構成されている、蒸し機能付き製パン機を提供する。
【手続補正２】
【補正対象書類名】明細書
【補正対象項目名】００１９
【補正方法】変更
【補正の内容】
【００１９】
本発明の第９態様によれば、前記蒸気導入用貫通孔は、前記蒸し調理用容器内で蒸し調理された調理物の上端予定位置よりも上方にのみ設けられている、第８態様に記載の蒸し機能付き製パン機を提供する。
【手続補正３】
【補正対象書類名】特許請求の範囲
【補正対象項目名】全文
【補正方法】変更
【補正の内容】
【特許請求の範囲】
【請求項１】
内部に加熱室が設けられた有底筒状の機器本体と、
前記機器本体の上部開口部を開閉可能な外蓋と、
前記加熱室内に収納され、調理材料を収容するとともに蒸し調理用の水を収容するための有底筒状の練り容器と、
前記練り容器内に配置され、前記練り容器内の前記調理材料を混錬するための練り羽根と、
前記練り羽根を回転駆動する駆動部と、
前記練り容器よりもサイズが小さく形成され、前記練り容器内で混錬された調理材料を収容可能な有底筒状の蒸し調理用容器と、
前記練り容器を加熱する加熱部と、
前記加熱室内の温度を検知する温度検知部と、
複数の調理コースから特定の調理コースを選択可能な選択部と、
前記選択部にて選択された調理コースと前記温度検知部の検知温度とに基づき、前記加熱部と前記駆動部とを制御する制御部と、
を備え、
前記蒸し調理用容器は、前記加熱室内において前記練り容器の底面よりも上方で支持されたとき、前記練り容器内で発生した蒸気が前記加熱室内に放出されるように前記蒸し調理用容器の側壁と前記練り容器の側壁との間に全周にわたって蒸気通過用の隙間が空くように構成されている、蒸し機能付き製パン機。
【請求項２】
前記蒸し調理用容器の底壁には、蒸気導入用貫通孔が設けられていない、請求項１に記載の蒸し機能付き製パン機。
【請求項３】
前記蒸し調理用容器は、前記支持された状態において、前記蒸気通過用の隙間が略均一の幅になるように形成されている、請求項１に記載の蒸し機能付き製パン機。
【請求項４】
前記蒸し調理用容器は、前記支持された状態において、その底壁が前記練り羽根と接触しないように形成されている、請求項１に記載の蒸し機能付き製パン機。
【請求項５】
前記蒸し調理用容器は、前記支持されたときに前記練り容器の上端部に接触する被支持部材が断熱部材で構成されている、請求項１に記載の蒸し機能付き製パン機。
【請求項６】
前記被支持部材には、前記蒸し調理用容器がガタつきなく位置決めされるように、テーパ状部が形成されている、請求項５に記載の蒸し機能付き製パン機。
【請求項７】
前記蒸し調理用容器は、上端部周囲にフランジ部を有し、当該フランジ部の下面の少なくとも２箇所に前記被支持部材が設けられている、請求項５に記載の蒸し機能付き製パン機。
【請求項８】
前記蒸し調理用容器の側壁には、蒸気導入用貫通孔が設けられている、請求項７に記載の蒸し機能付き製パン機。
【請求項９】
前記蒸気導入用貫通孔は、前記蒸し調理用容器内で蒸し調理された調理物の上端予定位置よりも上方にのみ設けられている、請求項８に記載の蒸し機能付き製パン機。
【請求項１０】
前記蒸気導入用貫通孔は、前記フランジ部の近傍に設けられている、請求項８に記載の蒸し機能付き製パン機。
【請求項１１】
前記フランジ部の外径は、前記練り容器の上部開口部の直径よりも大きい、請求項７に記載の蒸し機能付き製パン機。
【請求項１２】
前記蒸し調理用容器を取り外さないと、前記練り容器が取り外せないように構成されている、請求項１〜１１のいずれか１つに記載の蒸し機能付き製パン機。
【請求項１３】
前記練り容器は、
前記練り容器の上部開口部よりも上方に突出し前記被支持部材を支持する把手取付部と、
前記把手取付部に回動可能に取り付けられる把手と、を備え、
前記蒸し調理用容器が前記支持された際、前記把手は、前記フランジ部と前記練り容器の上端部との間に位置する、請求項１２に記載の蒸し機能付き製パン機。
【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
測定光源と、該測定光源から出射された光の一部の光路長を変化させるために所定の光学部材を移動させる駆動部と、受光素子と、を有し、前記測定光源から出射された光を被検眼に照射し、被検眼からの反射光を干渉光として前記受光素子で受光する干渉光学系と、
前記受光素子から出力される受光信号に基づいて被検者眼の軸方向における眼寸法を算出する演算処理部と、
を備える眼寸法測定装置において、
前記受光素子から出力される受光信号からビート成分を抽出するためのバンドパスフィルタと、
該バンドパスフィルタから出力されるビート信号の包絡線信号を得る包絡線検波手段と、
前記包絡線検波手段によって取得された包絡線信号のうち、干渉信号による包絡線に対応する所定の周波数成分の信号を通過させ、これを超える周波数成分の信号を遮断するフィルタ手段と、を備え、
前記演算処理部は、該フィルタ手段を通過した信号に基づいて眼寸法を求めることを特徴とする眼寸法測定装置。
【請求項２】
請求項１の眼寸法測定装置において、前記フィルタ手段は、ローパスフィルタ、又はバンドパスフィルタを含むことを特徴とする眼寸法測定装置。
【請求項３】
請求項１又は２のいずれかの眼寸法測定装置において、前記フィルタ手段は、前記測定光源のコヒーレンス長及び前記光学部材の移動速度に基づき理論上算出される干渉信号の包絡線に対応する周波数を基準とする所定の許容幅の帯域を通過させる特性を有することを特徴とする眼寸法測定装置。
【手続補正２】
【補正対象書類名】明細書
【補正対象項目名】０００８
【補正方法】変更
【補正の内容】
【０００８】
（１）  測定光源と、該測定光源から出射された光の一部の光路長を変化させるために所定の光学部材を移動させる駆動部と、受光素子と、を有し、前記測定光源から出射された光を被検眼に照射し、被検眼からの反射光を干渉光として前記受光素子で受光する干渉光学系と、
前記受光素子から出力される受光信号に基づいて被検者眼の軸方向における眼寸法を算出する演算処理部と、
を備える眼寸法測定装置において、
前記受光素子から出力される受光信号からビート成分を抽出するためのバンドパスフィルタと、
該バンドパスフィルタから出力されるビート信号の包絡線信号を得る包絡線検波手段と、
前記包絡線検波手段によって取得された包絡線信号のうち、干渉信号による包絡線に対応する所定の周波数成分の信号を通過させ、これを超える周波数成分の信号を遮断するフィルタ手段と、を備え、
前記演算処理部は、該フィルタ手段を通過した信号に基づいて眼寸法を求めることを特徴とする。
（２）
（１）の眼寸法測定装置において、前記フィルタ手段は、ローパスフィルタ、又はバンドパスフィルタを含むことを特徴とする。
（３）
（１）又は（２）のいずれかの眼寸法測定装置において、前記フィルタ手段は、前記測定光源のコヒーレンス長及び前記光学部材の移動速度に基づき理論上算出される干渉信号の包絡線に対応する周波数を基準とする所定の許容幅の帯域を通過させる特性を有することを特徴とする。